(57)【要約】【課題】  高速処理を行うＣＰＵやランダムアクセスが高速なフラッシュメモリなどを備えることなく、高速起動を可能とすることを目的とする。【解決手段】  被写体を撮像する電子カメラであって、被写体を撮像してアナログ画像信号を生成する撮像素子と、撮像素子から出力された前記アナログ画像信号に所定の処理を施して、デジタル画像信号を生成するアナログ画像処理部と、電子カメラを統括的に制御するメイン制御部と、電源ＯＮの指示をユーザから受け付ける操作部と、電子カメラの各部に給電する電源部と、前記電源ＯＮの指示を検知すると、前記電源部を制御して、少なくとも前記アナログ画像処理部と前記メイン制御部とを含む電子カメラの各部に給電するとともに、前記アナログ画像処理部を初期化するサブ制御部とを備えることを特徴とする電子カメラ。【選択図】      図１
2009089142.tif 000002
【特許請求の範囲】
【請求項１】
被写体を撮像する電子カメラであって、
被写体を撮像してアナログ画像信号を生成する撮像素子と、
撮像素子から出力された前記アナログ画像信号に所定の処理を施して、デジタル画像信号を生成するアナログ画像処理部と、
電子カメラを統括的に制御するメイン制御部と、
電源ＯＮの指示をユーザから受け付ける操作部と、
電子カメラの各部に給電する電源部と、
前記電源ＯＮの指示を検知すると、前記電源部を制御して、少なくとも前記アナログ画像処理部と前記メイン制御部とを含む電子カメラの各部に給電するとともに、前記アナログ画像処理部を初期化するサブ制御部と
を備えることを特徴とする電子カメラ。
【請求項２】
請求項１に記載の電子カメラにおいて、
前記メイン制御部は、前記サブ制御部が前記アナログ画像処理部の初期化を完了した後に、前記アナログ画像処理部を制御する
ことを特徴とする電子カメラ。
【請求項３】
請求項１または請求項２に記載の電子カメラにおいて、
前記デジタル画像信号に画像処理を施すデジタル画像処理部をさらに備え、
前記サブ制御部は、前記アナログ画像処理部の初期化を完了した後に、前記デジタル画像処理部を初期化する
ことを特徴とする電子カメラ。
【請求項４】
請求項３に記載の電子カメラにおいて、
前記メイン制御部は、前記サブ制御部が前記デジタル画像処理部の初期化を完了した後に、前記デジタル画像処理部を制御する
ことを特徴とする電子カメラ。
【発明の詳細な説明】
【技術分野】
【０００１】
本発明は電子カメラに関する。
【背景技術】
【０００２】
従来から、一般的な電子カメラでは、シャッターチャンスを確実に捉えるために起動時間を短くすることが望まれる。
【０００３】
例えば、特許文献１の電子カメラは、起動に必要な最小限のパラメータのみを先読みし処理時間がかかる鏡筒繰り出しを実行することで起動時間を短くする。
【特許文献１】特開２００６−１０９３３２号公報
【発明の開示】
【発明が解決しようとする課題】
【０００４】
ところで、電子カメラにランダムアクセスが高速なフラッシュメモリを備えると、ランダムアクセスが遅いフラッシュメモリを使用する場合と比較して、起動時間を短縮することが可能である。しかし、ランダムアクセスが高速なフラッシュメモリは高価であり、消費電力が大きいという問題がある。
【０００５】
そこで、本発明の電子カメラは、高速処理を行うＣＰＵやランダムアクセスが高速なフラッシュメモリなどを備えることなく、高速起動を可能とすることを目的とする。
【課題を解決するための手段】
【０００６】
本発明の電子カメラは、被写体を撮像する電子カメラであって、被写体を撮像してアナログ画像信号を生成する撮像素子と、撮像素子から出力された前記アナログ画像信号に所定の処理を施して、デジタル画像信号を生成するアナログ画像処理部と、電子カメラを統括的に制御するメイン制御部と、電源ＯＮの指示をユーザから受け付ける操作部と、電子カメラの各部に給電する電源部と、前記電源ＯＮの指示を検知すると、前記電源部を制御して、少なくとも前記アナログ画像処理部と前記メイン制御部とを含む電子カメラの各部に給電するとともに、前記アナログ画像処理部を初期化するサブ制御部とを備えることを特徴とする。
【０００７】
なお、好ましくは、前記メイン制御部は、前記サブ制御部が前記アナログ画像処理部の初期化を完了した後に、前記アナログ画像処理部を制御しても良い。
【０００８】
また、好ましくは、前記デジタル画像信号に画像処理を施すデジタル画像処理部をさらに備え、前記サブ制御部は、前記アナログ画像処理部の初期化を完了した後に、前記デジタル画像処理部を初期化しても良い。
【０００９】
また、好ましくは、前記メイン制御部は、前記サブ制御部が前記デジタル画像処理部の初期化を完了した後に、前記デジタル画像処理部を制御しても良い。
【発明の効果】
【００１０】
本発明の電子カメラによれば、高速処理を行うＣＰＵやランダムアクセスが高速なフラッシュメモリなどを備えることなく、高速起動を可能とすることができる。
【発明を実施するための最良の形態】
【００１１】
以下、図面を用いて本発明の実施形態について説明する。図１は、本発明の実施形態における電子カメラ１の構成を示すブロック図である。図１に示すように、電子カメラ１は、撮像レンズ２、撮像素子３、アナログ画像処理部４、デジタル画像処理部５、バッファメモリ６、メイン制御部７、サブ制御部８、モータ駆動部９、ジャイロセンサ部１０、電源部１１、操作部１２、ＮＡＮＤ型フラッシュメモリ１３、記録Ｉ／Ｆ部１４、記録媒体１５、表示部１６、閃光発光部１７を備える。
【００１２】
撮像レンズ２は、撮像素子３の撮像面に被写体像を結像させる。撮像素子３は、撮像レンズ２を通過した光束による被写体像を光電変換し、アナログ画像信号を出力する。アナログ画像処理部４は、アナログ画像信号に各種の処理（ゲイン調整、相関二重サンプリング、Ａ／Ｄ変換など）を施す。デジタル画像処理部５は、アナログ画像処理部４から出力されたデジタル画像信号に各種の画像処理（色補間、階調変換処理、輪郭強調処理、ホワイトバランス調整など）を施す。バッファメモリ６は、デジタル画像処理部５による画像処理の前工程や後工程で画像のデータを一時的に記録する。
【００１３】
モータ駆動部９は、メイン制御部７の制御によりＡＦモータ、絞りモータなどを駆動する。ジャイロセンサ部１０は、電子カメラ１の回転角度を検出して、メイン制御部７に出力する。電源部１１は、ＤＣ／ＤＣコンバータ、ボルテージレギュレータ、ロードスイッチなどを備え、メイン制御部７またはサブ制御部８の制御により電子カメラ１の各部に給電する。操作部１２は、電源釦や操作釦などを有する。操作部１２の電源釦は、電源ＯＮ／ＯＦＦの指示をユーザから受け付ける。操作部１２の操作釦は、表示部１６に表示されるメニュー画面等での入力をユーザから受け付ける。ＮＡＮＤ型フラッシュメモリ１３は、メイン制御部７の内部に構成され、電子カメラ１を制御する所定のシーケンスプログラムを予め記録する。記録Ｉ／Ｆ部１４は、コネクタに接続された記録媒体１５に対してデータの書き込み／読み込みを実行する。表示部１６は、メイン制御部７の制御により各種の画像を表示する。閃光発光部１７は、メイン制御部７の制御により被写体に閃光を照射する。
【００１４】
メイン制御部７は、上述のシーケンスプログラムにしたがって、電子カメラ１を統括的に制御するプロセッサである。サブ制御部８は、メイン制御部７と接続され、メイン制御部７にアナログ画像処理部４の初期化完了の信号とデジタル画像処理部５の初期化完了の信号とを出力する。また、サブ制御部８は、アナログ画像処理部４、デジタル画像処理部５、電源部１１にコントロール信号を出力する。サブ制御部８が出力する信号については後述する。なお、電子カメラ１の電源がＯＦＦ状態のとき、サブ制御部８は通常よりも消費電力の少ない待機状態で駆動し、サブ制御部８以外の各部は停止状態である。
【００１５】
図２は、電子カメラ１における起動時のメイン制御部７とサブ制御部８との動作を示すフローチャートである。また、図３は、図２における各部の動作を示すタイミングチャートである。最初に、サブ制御部８の動作について説明する。
【００１６】
ステップＳ１で、サブ制御部８は、操作部１２を介してユーザーから電源ＯＮの指示があるか否かを判定する。電源ＯＮの指示がある場合（ＹＥＳ）には、ステップＳ２に移行する。一方、電源ＯＮの指示がない場合（ＮＯ）には、サブ制御部８は、電源ＯＮの指示があるまで待機する。サブ制御部８が電源ＯＮの指示を検知する時点を図３（ａ）のｔ１に示す。
【００１７】
ステップＳ２で、サブ制御部８は、待機状態を解除して起動する。サブ制御部８が起動する時点を図３（ｂ）のｔ２に示す。
【００１８】
ステップＳ３で、サブ制御部８は、電源部１１に電源起動シーケンス信号を出力するとともに、電源部１１を制御して、メイン制御部７、アナログ画像処理部４、デジタル画像処理部５、モータ駆動部９、ジャイロセンサ部１０、閃光発光部１７などに給電する。サブ制御部８が電源起動シーケンス信号を出力する時点を図３（ｃ）のｔ３に示す。
【００１９】
ステップＳ４で、サブ制御部８は、アナログ画像処理部４を初期化する。例えば、サブ制御部８は、アナログ画像処理部４を初期設定に戻して、安定した動作状態になるまで待機する。サブ制御部８がアナログ画像処理部４の初期化を開始する時点を図３（ｄ）のｔ４に示す。
【００２０】
ステップＳ５で、サブ制御部８は、メイン制御部７にアナログ画像処理部４の初期化完了の信号を出力する。
【００２１】
ステップＳ６で、サブ制御部８は、デジタル画像処理部５を初期化する。例えば、サブ制御部８は、デジタル画像処理部５を初期設定に戻して、安定した動作状態になるまで待機する。サブ制御部８がアナログ画像処理部４の初期化を開始する時点を図３（ｅ）のｔ５に示す。
【００２２】
ステップＳ７で、サブ制御部８は、メイン制御部７にデジタル画像処理部５の初期化完了の信号を出力する。以上でサブ制御部８は、起動時の処理を終了する。
【００２３】
次に、メイン制御部７の動作について説明する。メイン制御部７は、ステップＳ３でサブ制御部８の制御により、電源部１１から給電されると、ステップＳ１１で、停止状態を解除して起動する。メイン制御部７が起動する時点を図３（ｆ）のｔ４に示す。
【００２４】
ステップＳ１２で、メイン制御部７は、ＮＡＮＤ型フラッシュメモリ１３にアクセスする。例えば、メイン制御部７は、ＮＡＮＤ型フラッシュメモリ１３に記録されたデータを読み出す。メイン制御部７がＮＡＮＤ型フラッシュメモリ１３にアクセスを開始する時点を図３（ｇ）のｔ５に示す。
【００２５】
ステップＳ１３で、メイン制御部７は、モータ駆動部９、ジャイロセンサ部１０、閃光発光部１７を初期化する。例えば、メイン制御部７は、ジャイロセンサ部１０の回転軸や、モータ駆動部９が駆動するモータの位置が初期設定の位置にあるか否かを判定する。そして、メイン制御部７は、初期設定の位置にない場合には、各部を制御して、初期設定の位置に戻す。また、メイン制御部７は、電源部１１を制御して、閃光発光部１７用のコンデンサに給電する。メイン制御部７がモータ駆動部９、ジャイロセンサ部１０、閃光発光部１７の初期化を開始する時点を図３（ｈ）のｔ６に示す。
【００２６】
ステップＳ１４で、メイン制御部７は、ステップＳ５においてサブ制御部８により出力された信号を検知すると、電源部１１とアナログ画像処理部４とにコントロール信号を出力する。
【００２７】
ステップＳ１５で、メイン制御部７は、電源部１１を制御して、撮像素子３に給電するとともに、アナログ画像処理部４を制御して、アナログ画像処理部４のシリアル通信回路をサブ制御部８からメイン制御部７に切り替える。これにより、アナログ画像処理部４の制御がサブ制御部８からメイン制御部７に引き渡されることとなる。さらに、メイン制御部７は、撮像素子３を初期化する。
【００２８】
ステップＳ１６で、メイン制御部７は、ステップＳ７においてサブ制御部８により出力された信号を検知すると、デジタル画像処理部５にコントロール信号を出力する。
【００２９】
ステップＳ１７で、メイン制御部７は、デジタル画像処理部５を制御して、デジタル画像処理部５のシリアル通信回路をサブ制御部８からメイン制御部７に切り替える。これにより、デジタル画像処理部５の制御がサブ制御部８からメイン制御部７に引き渡されることとなる。以上でメイン制御部７は、起動時の処理を終了する。
【００３０】
なお、ステップＳ５で、サブ制御部８は、メイン制御部７にアナログ画像処理部４の初期化完了の信号を出力するとともに、アナログ画像処理部４を制御して、アナログ画像処理部４のシリアル通信回路をサブ制御部８からメイン制御部７に切り替える構成としても良い。この場合、ステップＳ１４で、メイン制御部７は、ステップＳ５においてサブ制御部８により出力された信号を検知すると、電源部１１にコントロール信号を出力する。そして、ステップＳ１５で、メイン制御部７は、電源部１１を制御して、撮像素子３に給電すれば良い。
【００３１】
同様にして、ステップＳ７で、サブ制御部８は、メイン制御部７にデジタル画像処理部５の初期化完了の信号を出力することなく、デジタル画像処理部５を制御して、デジタル画像処理部５のシリアル通信回路をサブ制御部８からメイン制御部７に切り替える構成としても良い。この場合、ステップＳ１６とステップＳ１７とは、不要である。
【００３２】
以上説明したように、本実施形態の電子カメラによれば、メイン制御部７がＮＡＮＤ型フラッシュメモリ１３にアクセスし、モータ駆動部９などを初期化している間に、サブ制御部８がアナログ画像処理部４とデジタル画像処理部５とを初期化する。したがって、高速処理を行うＣＰＵやランダムアクセスが高速なフラッシュメモリなどを備えることなく、高速起動が可能となる。
【００３３】
また、サブ制御部８は、待機状態から起動した直後にアナログ画像処理部４を初期化する。また、メイン制御部７は、サブ制御部８が出力したアナログ画像処理部４の初期化完了の信号を検知すると、撮像素子３の初期化を行う。したがって、電源ＯＮの指示から速やかに撮像素子３を初期化することで、スルー画像の撮像をできるだけ早く開始するため、ユーザにとって使い勝手の良い電子カメラとなる。
【００３４】
なお、図３のタイミングチャートは、おおよその前後関係を示したものであり、ｔ１〜ｔ６のうち、いずれかが重複しても良い。また、左右方向の長さ（時間）は、厳密ではない。
【００３５】
また、上記の実施形態では、メイン制御部７は、アナログ画像処理部４の初期化完了の信号を検知すると、電源部１１を制御して撮像素子３に給電するが、この流れに限らない。例えば、メイン制御部７は、アナログ画像処理部４の初期化が完了したと推定するタイミングで撮像素子３を給電しても良い。
【００３６】
また、上記の実施形態では、サブ制御部８がアナログ画像処理部４とデジタル画像処理部５とを初期化したが、この組み合わせに限定されない。例えば、サブ制御部８がアナログ画像処理部４のみを初期化する構成としても良い。
【００３７】
また、上記の実施形態では、電子カメラ１は１つのサブ制御部を備えるが、複数のサブ制御部を備える構成にしても良い。例えば、第１のサブ制御部が電源ＯＮの指示を検知して、第２のサブ制御部に電源起動シーケンス信号を出力する。そして、第２のサブ制御部は、電源起動シーケンス信号を検知すると、電源部を制御して各部に給電するとともに、アナログ画像処理部４やデジタル画像処理部５を初期化しても良い。
【図面の簡単な説明】
【００３８】
【図１】電子カメラ１の構成を示すブロック図である。
【図２】電子カメラ１における起動時のメイン制御部７とサブ制御部８との動作を示すフローチャートである。
【図３】図２における各部の動作を示すタイミングチャートである。
【符号の説明】
【００３９】
１…電子カメラ、３…撮像素子、４…アナログ画像処理部、５…デジタル画像処理部、７…メイン制御部、８…サブ制御部、１１…電源部、１２…操作部
【図１】
2009089142.tif 000003
【図２】
2009089142.tif 000004
【図３】
2009089142.tif 000005